(57)【特許請求の範囲】
【請求項１】
ビデオディスクからのＡＶ信号をディスプレイに表示するテレビジョン受信機であって、
前記ビデオディスクから読み取ったＡＶ信号の縦横比を記憶する読出縦横比レジスタと、
前記ビデオディスクからのＡＶ信号の偏向角を切り替える偏向手段と、
前記読出縦横比レジスタに、ビデオディスクが縦横比１６：９が記憶された場合に、前記偏向手段により前記ＡＶ信号の偏向角を切り替え、縦横比４：３の画面に縦横比１６：９の映像を表示する制御を行う制御手段と、
前記偏向角の切り替えが行われた場合に、ＯＳＤを用いて、映像信号と無信号の境界に任意サイズの黒色ブロックの表示キャラクタを水平方向に書き込むオンスクリーン手段を備えたことを特徴とするテレビジョン受信機。
【発明の詳細な説明】
【０００１】
【発明の属する技術分野】
本発明は、ＤＶＤ等のビデオディスク再生装置を内蔵するテレビジョン受信機に関するものである。
【０００２】
【従来の技術】
図９は、従来の再生装置内蔵テレビジョン受信機に関するものである。
図９で１はＴＶ入力、２はＳ１信号検出付きビデオ入力、３はＡＶ入力切り替えスイッチであるＡＶＳＷ、４はＲＧＢプロセッサー、５はディスプレイ、６はオーディオコントローラ、７はスピーカ、８は制御部、９は操作キー入力部、１０はビデオＣＤ再生装置である。
【０００３】
以下、図９を用いて動作を説明する。
【０００４】
図９の従来例は、テレビジョン受信機にビデオＣＤ再生装置を組み込んだものである。
【０００５】
ＴＶ入力１およびビデオ入力２は、ＡＶＳＷ３に入力されている。制御部８は、操作キーの入力に応じてＡＶＳＷ３の入力を切り替えてＲＧＢプロセッサー４およびオーディオコントローラに映像信号および音声信号を供給する。ＲＧＢプロセッサー４は、ＡＶＳＷ３からの映像信号をＲＧＢ信号に変換し、ディスプレイ５を駆動し画面表示を行う。
【０００６】
同様にオーディオコントローラ６は、ＡＶＳＷ３からの音声信号を制御しスピーカ７に供給し音声出力をおこなう。操作キー入力部９により利用者よりビデオＣＤ再生装置１０が選択された場合、制御部８は、ビデオＣＤ再生装置１０に対し駆動制御を行うと同時にＡＶＳＷ３をビデオＣＤ再生装置１０側に切り替える。
【０００７】
ビデオＣＤ再生中にユーザーがＴＶ入力に信号を切り替えて放送内容を見たい場合、操作キー入力部９を介して操作をおこなうと制御部８は、ビデオＣＤ再生装置１０に対して一時停止信号を出すと共にＡＶＳＷ３をＴＶ入力１に切り替える。その後ユーザーが元のビデオＣＤ再生装置１０にＡＶＳＷ３を切り替える操作行うと制御部８はトグル式にＴＶ入力１からビデオ入力２に切り替えさらにビデオＣＤ再生装置１０に切り替えると同時に、ビデオＣＤ再生装置１０に対し一時停止を解除する信号を送ることで、ＡＶＳＷを切り替えた所から再生を開始する。
【０００８】
あるいは、ＡＶＳＷ３を切り替えた時点でもビデオＣＤ再生装置１０に対し一時停止信号を出さずにそのまま再生を継続させるような場合も有りうる。
【０００９】
【発明が解決しようとする課題】
上記の従来例は、特開平７−２４０８８２号公報の再生装置内蔵テレビジョン受像機を基本にしたものである。
【００１０】
一般的なテレビジョン放送あるいは代表的な映像パッケージメディアのビデオ等は縦横比４：３のディスプレイに表示することが前提とされている。一方、ハイビジョン等のＨＤＴＶ放送の受信機は、縦横比１６：９のディスプレイに表示されることが前提とされている。一方、ＨＤＴＶの受信機能はないが、縦横比１６：９のディスプレイを有するいわゆるワイドテレビが商品化されている。
【００１１】
このようなワイドテレビの機能を生かす信号としてＳ１映像信号がある。Ｓ１映像信号は、スクイズ信号とも呼ばれ縦横比１６：９のディスプレイで表示すれば真円率１となる信号である。このような信号は、通常の縦横比４：３の画面で表示したばあいは、縦長の映像となる。この表示イメージを図１０に示す。
【００１２】
縦横比４：３のディスプレイで縦横比１６：９の画面を表示する場合は、元々送りの信号が、画面の上下に黒枠をつけ、有効走査線は、約４８０本であるが、実際に映像表示に有効な走査線を約３６０本としている。この表示イメージを図１１に示す。
【００１３】
例えば２４インチ程度の縦横比が１６：９のワイドテレビにスクイズ信号を表示した場合と、２９インチ程度の縦横比が４：３の通常のテレビに図１１に示すような上下に黒枠がついた信号を表示した場合、実際に有効な映像が表示される面積はほぼ同じであるが、ワイドテレビでは、有効走査線４８０本、通常テレビでは表示有効走査線が３６０本となりその画質はワイドテレビの方良いことになる。
【００１４】
従来例に示すような再生装置内蔵テレビジョン受信機では、元々ビデオＣＤが、スクイズ信号にアスペクト対応しておらずよりクオリティの高いスクイズ信号には対応していない。ビデオＣＤ等の映像はもともと、縦横比４：３の画面で視聴することが前提になっている。よってこのような従来例ではスクイズ信号形式の信号を正しく再生することは出来ない。よってこのようなテレビジョン受信機で縦横比１６：９の映像を見るためにはあらかじめ上下に黒枠がついている映像信号を選択する必要がある。
【００１５】
【課題を解決するための手段】
上記課題を解決するために本発明では次の各手段を有する。
【００１６】
第１のテレビジョン受信機は、ビデオディスクからのＡＶ信号をディスプレイに表示するテレビジョン受信機であって、前記ビデオディスクから読み取ったＡＶ信号の縦横比を記憶する読出縦横比レジスタと、前記ビデオディスクからのＡＶ信号の偏向角を切り替える偏向手段と、前記読出縦横比レジスタに、ビデオディスクが縦横比１６：９が記憶された場合に、前記偏向手段により前記ＡＶ信号の偏向角を切り替え、縦横比４：３の画面に縦横比１６：９の映像を表示する制御を行う制御手段と、前記偏向角の切り替えが行われた場合に、ＯＳＤを用いて、映像信号と無信号の境界に任意サイズの黒色ブロックの表示キャラクタを水平方向に書き込むオンスクリーン手段を備えたことを特徴とするテレビジョン受信機である。
【００２１】
【発明の実施の形態】
第１のテレビジョン受信機は、ビデオディスクからのＡＶ信号をディスプレイに表示するテレビジョン受信機であって、前記ビデオディスクから読み取ったＡＶ信号の縦横比を記憶する読出縦横比レジスタと、前記ビデオディスクからのＡＶ信号の偏向角を切り替える偏向手段と、前記読出縦横比レジスタに、ビデオディスクが縦横比１６：９が記憶された場合に、前記偏向手段により前記ＡＶ信号の偏向角を切り替え、縦横比４：３の画面に縦横比１６：９の映像を表示する制御を行う制御手段と、前記偏向角の切り替えが行われた場合に、ＯＳＤを用いて、映像信号と無信号の境界に任意サイズの黒色ブロックの表示キャラクタを水平方向に書き込むオンスクリーン手段を備えたことを特徴とするテレビジョン受信機である。
【００２６】
以下、本発明のテレビジョン受信機の実施例を図１から図１００に示す各実施例の形態に基づいて説明する。なお、従来例を示す図９で示したものと同様の作用をなすものには同一の符号を付けて説明する。
【００２７】
（実施の形態１）
図１は、本発明の実施の形態１を示す。
【００２８】
また同一の番号を有するものは既に機能を説明しているので説明を省略する。
【００２９】
図１において８ａは、各種制御処理を行う制御部、
１１ａは、ビデオディスクを再生するためのビデオディスク再生装置、
１２は、ビデオディスクを駆動するための各種のディスク制御を行うディスク制御部、
１３は、ビデオディスクの読み出し縦横比を設定する縦横比設定レジスタ、
１４は、ビデオディスクから読み出した縦横比を逐次記憶するための読出縦横比レジスタ、
１５は、ＲＧＢプロセッサから読み出された垂直、水平偏向信号の内の垂直偏向信号を縦横比４：３の通常時はディスプレイ５いっぱいに垂直に走査するようにし、縦横比１６：９の時は、正しい真円率で表示出来るように垂直偏向信号の垂直振幅角を一定に切り替えることが出来るようにした偏向回路、
２０は、ビデオディスクからのＡＶ信号を処理するためのＡＶデコーダ、
３０は、ビデオディスクからのデータを読みとるディスクデータ読取部である。
【００３０】
ＡＶデコーダ２０の詳細ブロック図を図２に示す。
【００３１】
図２において
２１は、データ再生に用いる１６ＭＢのメモリであるＳＤＲＡＭ、
２２は、ＭＰＥＧデータ、ＭＰ＠ＭＬを復号するビデオデコーダ、
２３は、さらに各種音声信号ＡＣ３、ＭＰＥＧ、リニアＰＣＭを復号するオーディオデコーダ、
２４は、ビデオデコーダ２２からの信号をＮＴＳＣ信号に変換するＮＴＳＣデコーダ、
２５は、ＮＴＳＣエンコーダからのデジタル信号をアナログ信号に変換するＤＡＣ、
２６は、オーディオデコーダ２３からのデジタル信号をアナログ信号に変換するＤＡＣである。
【００３２】
ディスクデータ読取部３０の詳細ブロック図を図３に示す。
【００３３】
図３において
３１は、ディスクを駆動させるためのスピンドルモーター、
３２は、スピンドルモーターを駆動させるモータードライバー、
３３は、ビデオディスクからデータを読み取るための光ピックアップ、
３４は、光ピックアップからの信号を増幅するためのヘッドアンプ、
３５は、ヘッドアンプからの信号をデジタル信号に変換処理するための信号処理部、
３６は、ヘッドアンプ３４から読まれた信号よりディスクの回転を制御するためのディスクサーボ制御部、
３７は、スクランブルのかかった信号処理部３５からの信号を、デスクランブルするためのデ・スクランブラである。
【００３４】
以下、図１を元に説明する。操作キー入力部９によりビデオディスク再生装置１１ａ内の縦横比設定レジスタ１３を縦横比１６：９あるいは、縦横比４：３に設定する。縦横比１６：９に設定すると有効走査線数約４８０本で縦横比１６：９で正しく表示される映像信号をビデオディスクより読み出すことが出来る。
【００３５】
一方、縦横比４：３に設定すると有効走査線数約４８０本で縦横比４：３で正しく表示される映像信号をビデオディスクより読み出すことが出来る。この場合、いわゆるレターボックスとよばれる信号形態つまり有効走査線数約４８０本で上下各約６０本走査線は黒枠を示す信号が送られ中央の３６０本の走査線に黒枠ではない映像信号が送られる。
【００３６】
あるいは、いわゆるパン・スキャンとよばれる信号形態つまり有効走査線数約４８０本で上下に黒枠の信号をおくることなくイメージとして本来の１６：９の信号から垂直幅は同じで１２：９（４：３）になるように映像信号を切り取った映像信号が送られる。ディスクデータ読取り部３０は、ビデオディスクに記録されている信号形態が、縦横比１６：９か縦横比４：３であるかを読取る。
【００３７】
読出縦横比レジスタ１４は、ビデオディスクから読取った信号の縦横比を記憶するが、ビデオディスクによっては、縦横比１６：９の信号形態を有さないものもあり、縦横比設定レジスタ１３を縦横比１６：９に設定しても読出縦横比レジスタ１４に縦横比１６：９が記録されない場合もある。縦横比設定レジスタ１３に縦横比１６：９が設定され、ビデオディスクから読出された縦横比１６：９が読出縦横比レジスタ１４に記録されるとディスク制御部１２は、それの内容を通信手段により制御部８ａに送信する。
【００３８】
制御部８ａは、縦横比１６：９を検出すると偏向回路１５の設定を垂直の偏向角を小さくし縦横比１６：９の映像が正しく表示されるようにする。制御部８ａは、縦横比４：３を検出すると他の通常の信号と同様に偏向回路１５の設定を縦横比４：３の映像が正しく表示されるように設定する。
【００３９】
（実施の形態２）
図４は、本発明の実施の形態２を示す。
【００４０】
なお、例を示す図９および実施例の図１、図２および図３と同様の作用をなすものには同一の符号を付けて説明する。また同一の番号を有するものは既に機能を説明しているので説明を省略する。
【００４１】
１６は、偏向角を１６：９に切り替えても良い条件がそろった場合に、偏向角を自動切り替えて表示画面の縦横比の整合性をとるようにするか否かを選択するためのオートアスペクトレジスタである。
【００４２】
以下図４を用いて説明する。
【００４３】
操作キー入力部９より縦横比設定レジスタ１３で縦横比１６：９を設定し、ディスクデータ読取り部３０が、再生するビデオディスクより縦横比１６：９を読取り、読出縦横比レジスタ１４が、縦横比１６：９になった場合も、このオートアスペクトレジスタ１６の設定により自動的に偏向角切り替えをするか否かを設定できる。
【００４４】
縦横比設定は、ビデオディスク再生部１１ａに対して行なうが、オートアスペクトレジスタ１６は、ここの再生映像に対して行うものでより、縦横比の切り替えをより自由に選択できるというメリットがある。
【００４５】
（実施の形態３）
図５は、本発明の実施の形態３を示す。
【００４６】
なお、従来例を示す図９、および実施例の図１、図２、図３および図４同様の作用をなすものには同一の符号を付けて説明する。また同一の番号を有するものは既に機能を説明しているので説明を省略する。
【００４７】
１７は、偏向角を小さくした場合、ディスプレイ上に発生する無信号部と有信号部の切り替わり部をマスキングするためのオンスクリーン手段であるＯＳＤである。
【００４８】
偏向角を縦横比１６：９用に切り替えた場合の表示例を、図６に示す。この場合、使用するハードウエアの性能によっては、黒枠と映像信号の境目に映像表示とは異なる不具合な同期切り替え点、同期引き込みの諸問題等が表示される場合がある。これを解決するため制御部８ａは、ＯＳＤ１７を用いこの境目に任意サイズの黒色ブロックの表示キャラクタを水平方向いっぱいに書き込むことでこの不具合表示を改善することができる。
【００４９】
（実施の形態４）
図７は、本発明の実施の形態４を示す。
【００５０】
なお、従来例を示す図９、および実施例の図１、図２、図３、図４、図５および図６と同様の作用をなすものには同一の符号を付けて説明する。また同一の番号を有するものは既に機能を説明しているので説明を省略する。
【００５１】
１８は、偏向角を小さくした場合、ディスプレイ上に発生する無信号部と有信号部の切り替わり部をマスキングするためのブランキング信号発生回路である。
【００５２】
偏向角を縦横比１６：９用に切り替えた場合の表示例を、図６に示しているが、この場合、使用するハードウエアの性能によっては、黒枠と映像信号の境目に映像表示とは異なる不具合な同期切り替え点、同期引き込みの諸問題等が表示される場合がある。これを解決するため制御部８ａの負担を減らすため、制御部８ａからオンスクリーン操作することなくブランキング信号により映像信号として必要なものがディスプレイ５に出力されるようにしたものである。
【００５３】
ブランキング発生回路はＲＧＢプロセッサ４より同期信号を入力し、その同期信号を加工することでブランキング信号を発生させ、その信号をＲＧＢプロセッサ４に返すことで、不具合な信号をディスプレイ５に供給しなくする。
【００５４】
（実施の形態５）
図８は、本発明の実施の形態５を示す。
【００５５】
なお、従来例を示す図９、および実施例の図１、図２、図３、図４、図５、図６および図７と同様の作用をなすものには同一の符号を付けて説明する。また同一の番号を有するものは既に機能を説明しているので説明を省略する。
【００５６】
１９は、Ｓ１映像信号を検出した場合に、色信号部に重畳された任意電圧（通常５Ｖ）を検出する。偏向角切り替え機能を内蔵するビデオディスク再生の映像信号だけでなく外部機器からの映像信号に対しても提供するものである。
【００５７】
Ｓ１検出付きビデオ信号入力部には、輝度信号と色信号が分離されて入力される。この時に色信号のＳ１映像信号を示す電圧が重畳されている場合、制御部８ａは、直ちにそれを検出し、偏向回路１５を縦横比１６：９の映像信号が入力された場合の最適偏向角に設定することで外部信号に対しても内部ビデオディスクと同様の効果を得ることが出来る。
【００５８】
【発明の効果】
本究明によれば、次の効果を奏する。
【００５９】
請求項１記載の発明によれば、従来、ビデオＣＤ再生機能内蔵テレビが有していなかった縦横比１６：９のスクイズ信号に対し対応することが出来、テレビジョン受信機内部で縦横比設定することが出来、合わせて縦横比検出を二つの制御部で通信することで自動的に、偏向回路の偏向角を切り替えることが出来、縦横比４：３の画面上に操作線数をそこねることなく縦横比１６：９の映像信号を表示することができるという効果を得ることができる。
【００６０】
請求項２記載の発明によれば、オートアスペクトレジスタを用いることで必要なビデオディスクごとに瞬時に縦横比の切り替えが出来るという極めて優れた効果を得ることが出来る。
【００６１】
請求項３記載の発明によれば、ＯＳＤによりオンスクリーンによるマスクをすることで表示画面上の黒枠部分と映像信号の境目の不具合表示を消すことができるという効果を得ることが出来る。
【００６２】
請求項４記載の発明によれば、制御部のＯＳＤ書き込みの負担を軽減し、同期信号によりブランキング信号の発生により映像信号そのものをブランキングすることで表示画面上の黒枠部分と映像信号の境目の不具合表示を消すことができるという効果を得ることが出来る。
【００６３】
請求項５記載の発明によれば、あわせて、Ｓ１検出付きのビデオ入力部を合わせて有することで外部信号に対しても自動的に、偏向回路の偏向角を切り替えることが出来、縦横比４：３の画面上に操作線数をそこねることなく縦横比１６：９の映像信号を表示することができるという効果を得ることができる。
【図面の簡単な説明】
【図１】実施の形態１における表示装置のブロック構成図
【図２】実施の形態１におけるＡＶデコーダの詳細ブロック図
【図３】実施の形態１におけるディスクデータ読取図の詳細ブロック図
【図４】実施の形態２における表示装置のブロック構成図
【図５】実施の形態３における表示装置のブロック構成図
【図６】本発明の表示例を示す図
【図７】実施の形態４における表示装置のブロック構成図
【図８】実施の形態５における表示装置のブロック構成図
【図９】従来例における表示装置のブロック構成図
【図１０】スクイズ信号の説明図
【図１１】有効表示走査線３６０本（いわゆるレターボックス信号の）表示例を示す図
【符号の説明】
１１  ビデオディスク再生部
１２  ディスク制御部
１３  縦横比設定レジスタ
１４  読出縦横比レジスタ
１５  偏向回路
１６  オートアスペクトレジスタ
１７  ＯＳＤ
１８  ブランキング発生回路
１９  Ｓ１検出付きビデオ入力部
２０  ＡＶデコーダ
２１  ＳＤＲＡＭ
２２  ＭＰＥＧ２  ＭＰ＠ＭＬ  ビデオデコーダ
２３  ＡＣ３／ＭＰＥＧ／リニアＰＣＭオーディオデコーダ
２４  ＮＴＳＣエンコーダ
２５  ＤＡＣ（ビデオ信号用）
２６  ＤＡＣ（オーディオ信号用）
３０  ディスクデータ読取部
３１  スピンドルモーター
３２  モータードライバー
３３  光ピックアップ
３４  ヘッドアンプ
３５  信号処理部
３６  ディスクサーボ制御
３７  デスクランブラ
【図１】
0004604315.tif 000002
【図２】
0004604315.tif 000003
【図３】
0004604315.tif 000004
【図４】
0004604315.tif 000005
【図５】
0004604315.tif 000006
【図６】
0004604315.tif 000007
【図７】
0004604315.tif 000008
【図８】
0004604315.tif 000009
【図９】
0004604315.tif 000010
【図１０】
0004604315.tif 000011
【図１１】
0004604315.tif 000012